(57)【要約】【課題】上衣の前立て及び台襟のヨレを防止するための補強材、及びそれを用いた上衣を提供する。【解決手段】本発明に係る補強材は、上衣の前立て及び台襟を補強するための補強材であって、前記前立ての内部に挿入可能な脚部と、前記脚部の上方に接続された、前記台襟の内部に挿入可能な頭部と、を有し、前記頭部の付け根の位置の幅が、前記脚部の幅より小さい。本発明に係る上衣は、前立て及び台襟の内部に、上記の前記補強材が挿入されている。【選択図】図１
2018188778.tif 000002
【特許請求の範囲】
【請求項１】
上衣の前立て及び台襟を補強するための補強材であって、
前記前立ての内部に挿入可能な脚部と、
前記脚部の上方に接続された、前記台襟の内部に挿入可能な頭部と、
を有し、
前記頭部の付け根の位置の幅が、前記脚部の幅より小さい補強材。
【請求項２】
前記脚部の幅が３〜６ｍｍであり、
前記頭部の付け根の位置の幅が０．５〜２．５ｍｍである
請求項１に記載の補強材。
【請求項３】
前記脚部の先端が、Ｕ字形状又はＶ字形状をなしている
請求項１又は２に記載の補強材。
【請求項４】
前記頭部が、前記台襟の内縁に沿って折れ曲がって挿入可能なＬ字形状を有している
請求項１〜３のいずれか１項に記載の補強材。
【請求項５】
前立て及び台襟の内部に、請求項１〜４のいずれか１項に記載の補強材が挿入されている上衣。
【請求項６】
前記補強材の頭部が、前記台襟に縫い付けられている
請求項５に記載の上衣。
【請求項７】
前記前立てには、内部に挿入された脚部の先端を支えるストッパーが形成されている
請求項５又は６に記載の上衣。
【発明の詳細な説明】
【技術分野】
【０００１】
本発明は、上衣の前立て及び台襟のヨレを防止するための補強材、及びそれを用いた上衣に関する。
【背景技術】
【０００２】
シャツなどの上衣は、前立て上部のボタンの幾つかと台襟のボタンを外したまま着ることが多い。しかし、前立て及び台襟のボタンを外した状態では、前立て及び台襟にヨレが発生し、見栄えがよくなかった。そこで、上衣の前立て及び台襟のヨレを防止するための補強材が開発されており（特許文献１）、そのような補強材は、ミリオンダラーカラー社から上市されている（非特許文献１）。
【先行技術文献】
【特許文献】
【０００３】
【特許文献１】国際公開第２０１５／０５７３９０号
【非特許文献】
【０００４】
【非特許文献１】https://milliondollarcollar.com/
【発明の概要】
【発明が解決しようとする課題】
【０００５】
特許文献１に記載された図面や非特許文献１に掲載された説明図によれば、補強材はミシン等で台襟に縫い付けることで固定される。しかし、補強材は、上衣の前立て及び台襟のヨレを防止する目的で使用されることを考慮すると、ある程度の硬さを有している必要があるが、それを台襟に縫い付ける際に針が折れてしまったり、最悪の場合はミシンを壊してしまう可能性があった。
【０００６】
そこで、本発明は、上衣の前立て及び台襟のヨレを防止するための補強材、及びそれを用いた上衣を提供すること目的とする。
【課題を解決するための手段】
【０００７】
本発明に係る補強材は、上衣の前立て及び台襟を補強するための補強材であって、
前記前立ての内部に挿入可能な脚部と、
前記脚部の上方に接続された、前記台襟の内部に挿入可能な頭部と、
を有し、
前記頭部の付け根の位置の幅が、前記脚部の幅より小さい。
【０００８】
本発明に係る上衣は、前立て及び台襟の内部に、上記の補強材が挿入されている。
【発明の効果】
【０００９】
本発明によれば、上衣の前立て及び台襟のヨレを防止するための補強材、及びそれを用いた上衣を提供することができる。
【図面の簡単な説明】
【００１０】
【図１】本発明の一実施形態に係る補強材の構成を示す図である。
【図２】本発明の一実施形態に係る補強材を前立て及び台襟の内部に挿入した上衣の構成を示す拡大図である。
【発明を実施するための形態】
【００１１】
本発明に係る補強材は、上衣の前立て及び台襟のヨレを防止するためのものである。すなわち、本発明に係る補強材を用いる上衣は、基本的に前立て及び台襟のあるものであり、その具体例としては、ワイシャツ、ポロシャツ、ニットシャツ、デニムシャツ等のシャツが挙げられる。ただし、前立て及び／又は台襟のない上衣に本発明に係る補強材を用いることも可能である。なお、上衣を形成する生地の素材としては、綿、麻、ポリエステルなどが挙げられる。上衣を形成する生地の織り方としては、ブロード、オックスフォード、サテン、シャンブレー、ローン、ボイル、刺子織、絡み織、フランス綾カルゼ、バスケット、ヘリンボーン、ドビー、ジャガードなどが挙げられる。
【００１２】
本発明の一実施形態に係る補強材１０の構成を図１に示し、その補強材１０を前立て２１及び台襟２２の内部に挿入した上衣２０の構成を図２に示す。図１に示す補強材１０は、脚部１１と、脚部１１の上方に形成された頭部１２とを有している。なお、図２では左前身頃（前身頃の左側）に連結された前立て及び台襟の拡大図を例示しているが、右前身頃（前身頃の右側）に連結された前立て及び台襟も同様であり、その場合は通常ボタンホールの代わりにボタンが配置される。
【００１３】
補強材１０は、上衣２０の前立て２１及び台襟２２を補強することができる程度の強度を有し、かつ洗濯を繰り返してもその形状を維持することができる素材で形成することが好ましい。補強材１０を形成する素材としては、高密度ポリエチレン（ＨＤＰＥ）、低密度ポリエチレン（ＬＤＰＥ）、直鎖状低密度ポリエチレン（ＬＬＤＰＥ）、エチレン−αオレフィン共重合体、プロピレン−αオレフィン共重合体、エチレン−酢酸ビニル共重合体（ＥＶＡ）、エチレン−メチルメタクリレート共重合体、エチレン−ｎブチルアクリレート共重合体、ポリプロピレン（ＰＰ）等のポリオレフィン；ポリエチレンテレフタレート（ＰＥＴ）、ポリエチレンナフタレート（ＰＥＮ）等のポリエステル；ナイロン６、ナイロン１１、ナイロン１２、ナイロン６６、ナイロン６１０、ナイロン６１２等のポリアミド；これらに粒子状又は繊維状のフィラーが添加された複合材料などが挙げられる。補強材１０の厚さは、一般的には０．１〜０．５ｍｍとすることが好ましく、例えば０．３ｍｍとすることができる。
【００１４】
脚部１１は、前立て２１の内部に挿入可能なものであり、脚部１１を前立て２１の内部に挿入することで、前立て２１の少なくとも上部を補強するための部分である。脚部１１は、図１及び図２に示すように直線状のものでもよく、その一部が湾曲したものでもよい。脚部１１を前立て２１の内部に挿入しやすくする観点から、脚部１１の先端１１ａは、Ｕ字形状又はＶ字形状をなしていることが好ましい。
【００１５】
脚部１１の幅は、前立て２１に形成されたボタンホール２１ａ（又は前立てに縫い付けられたボタン）と、前立て２１の側辺に沿って形成された縫い目２１ｂとの間隔などを考慮して適宜決定すればよいが、一般的には３〜６ｍｍとすることが好ましく、例えば５ｍｍとすることができる。脚部１１の長さは、前立て２１の長さや前立て２１に形成されたボタンホール２１ａ（又は前立てに縫い付けられたボタン）までの長さなどを考慮して適宜決定すればよいが、一般的には１０〜３０ｃｍとすることが好ましく、例えば１９ｃｍとすることができる。
【００１６】
前立て２１には、補強材１０の脚部１１を挿入するための穴（不図示）が形成されていることが好ましい。また、脚部１１が前立て２１の内部に必要以上に挿入されてしまうことを防止するために、前立て２１には、内部に挿入された脚部１１の先端１１ａを支えるストッパー２１ｃが形成されていることが好ましい。
【００１７】
なお、前立て２１としては、上衣２０の前端が表側に折り返っている表前立て、上衣２０の前端が内側に折り返っている裏前立て、前立てを二重にしてボタンを見えなくした比翼仕立てなどが挙げられる。前立て２１の上側になる前身頃（上前身頃）には適宜ボタンホール２１ａが形成され、前立ての下側になる前身頃（下前身頃）には、ボタンホールの位置に合わせてボタンが縫い付けられる。なお、前身頃は、中央ラインで左右２つに分断されていなくてもよく、中央ラインの上部から中央付近までが分断されており、その部分に前立て２１が形成されていてもよい。
【００１８】
補強材の頭部１２は、台襟２２の内部に挿入可能なものであり、頭部１２を台襟２２の内部に挿入することで、上衣２０を着用する者の首付近に位置する台襟２２を補強するための部分である。頭部１２は、直線状のものでもよいが、図１及び図２に示すように頭部１２の先端１２ａが折れ曲がったＬ字形状を有していることが好ましい。こうすることで、頭部１２は、台襟２２の側辺から内縁に沿って上辺の方向に折れ曲がり、台襟２２のボタンホール２２ａ（又は台襟に縫い付けられたボタン）を回り込むように挿入可能となり、上衣２０を着用する者の首付近に位置する台襟２２をしっかり補強することができる。
【００１９】
頭部１２の幅に関しては、少なくとも付け根の位置の幅が、脚部１１の幅より小さいことが重要である。こうすることで、補強材１０を台襟２２に縫い付ける際に針が折れてしまったり、ミシンを壊してしまう可能性を低減することができる。また、一般に上衣２０の前立て２１よりも台襟２２の方がもともとコシが強いことから、頭部１２の幅を脚部１１の幅と同じ又は大きくしてしまうと、台襟２２のしなやかさが完全に失われる場合があるが、頭部１２の幅を脚部１１の幅より小さくすることで、台襟２２のしなやかさを残すことができ、結果として見栄えがよくなる。
【００２０】
頭部１２の幅は、台襟２２に形成されたボタンホール２２ａ（又は台襟に縫い付けられたボタン）と、台襟２２の側辺及び上辺に沿って形成された縫い目との間隔などを考慮して適宜決定すればよいが、一般的には０．５〜２．５ｍｍとすることが好ましく、例えば２ｍｍとすることができる。頭部１２の長さは、台襟２２の高さや台襟２２と襟２３との接続部までの長さなどを考慮して適宜決定すればよいが、一般的には２〜８ｃｍとすることが好ましく、例えば５．５ｃｍとすることができる。
【００２１】
なお、頭部１２の先端１２ａが折れ曲がったＬ字形状を有している場合、折れ曲がる手前の長さと折れ曲がった先（先端１２ａ）の長さの合計が上記の範囲を満たすことが好ましい。折れ曲がる手前の長さは、一般的には２〜４ｃｍとすることが好ましく、例えば２．５ｃｍとすることが好ましい。折れ曲がった先の長さは、一般的には２〜４ｃｍとすることが好ましく、例えば３ｃｍとすることが好ましい。折れ曲がり角度は、一般的には９５〜１２０°とすることが好ましく、例えば１１０°とすることができる。折れ曲がった先の幅は、折れ曲がる手前の幅よりも広くすることができる。また、頭部１２を台襟２２に挿入しやすくする観点から、図１及び図２に示すように、折れ曲がった先の部分であって台襟２２の上辺の縫い目側に向く部分を丸みを付けた形状にすることもできる。
【００２２】
台襟２２には、補強材１０の頭部１２を挿入するための穴（不図示）が形成されていることが好ましい。そして、補強材１０の頭部１２（の付け根）が、台襟２２に縫い付けられていることが好ましい。具体的には、図２に示すように台襟２２の下辺の縫い目２２ｂが、補強材１０の頭部１２（の付け根）を跨ぐように形成されていることが好ましい。
【００２３】
襟２３は、通常、土台となる台襟２２の上辺に縫い付けられている。襟２３の形状としては、レギューラカラー、ショートポイントカラー、ロングポイントカラー、ナロースプレッドカラー、ワインドスプレッドカラー、フレンチカラー、ミディアムスプレッドカラー、ホリゾンタイルカラー、ボタンダウン、スナップダウン、タブカラー、ピンホールカラー、イタリアンカラー、ラウンドチップカラー、ラウンドカラー、マイターカラー、スタンドカラー、ウイングカラー、ラウンドウイングカラー、ドュエボットーニ、トレボットーニ、クレリックなどが挙げられる。
【００２４】
以上のような補強材を用いることで、上衣の前立て及び台襟のヨレを防止することができ、シャツなどの前立て上部のボタンの幾つかと台襟のボタンを外したまま着ても、見栄えがよくなる。
【符号の説明】
【００２５】
１０    補強材
１１    脚部
１１ａ  脚部の先端
１２    頭部
１２ａ  頭部の先端
２０    上衣
２１    前立て
２１ａ  ボタンホール
２１ｂ  縫い目
２１ｃ  ストッパー
２２    台襟
２２ａ  ボタンホール
２２ｂ  縫い目
２３    襟
【図１】
2018188778.tif 000003
【図２】
2018188778.tif 000004
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
上衣の前立て及び台襟を補強するための補強材であって、
前記前立ての内部に挿入可能な脚部と、
前記脚部の上方に接続された、前記台襟の内部に挿入可能な頭部と、
を有し、
前記頭部の付け根の位置の幅が、前記脚部の幅より小さく、
前記頭部が、前記台襟の内縁に沿って折れ曲がって挿入可能なＬ字形状を有している補強材。
【請求項２】
前立て及び台襟の内部に、請求項１に記載の補強材が挿入されている上衣。
【請求項３】
前記補強材の頭部が、前記台襟に縫い付けられている
請求項２に記載の上衣。
【請求項４】
前記前立てには、内部に挿入された脚部の先端を支えるストッパーが形成されている
請求項２又は３に記載の上衣。
【請求項５】
前立て及び台襟の内部に、前記前立て及び前記台襟を補強するための補強材が挿入されている上衣であって、
前記補強材が、
前記前立ての内部に挿入可能な脚部と、
前記脚部の上方に接続された、前記台襟の内部に挿入可能な頭部と、
を有し、
前記頭部の付け根の位置の幅が、前記脚部の幅より小さく、
前記補強材の頭部が、前記台襟に縫い付けられている上衣。
【請求項６】
前記前立てには、内部に挿入された脚部の先端を支えるストッパーが形成されている
請求項５に記載の上衣。
【手続補正２】
【補正対象書類名】明細書
【補正対象項目名】０００７
【補正方法】変更
【補正の内容】
【０００７】
本発明に係る補強材は、上衣の前立て及び台襟を補強するための補強材であって、
前記前立ての内部に挿入可能な脚部と、
前記脚部の上方に接続された、前記台襟の内部に挿入可能な頭部と、
を有し、
前記頭部の付け根の位置の幅が、前記脚部の幅より小さく、
前記頭部が、前記台襟の内縁に沿って折れ曲がって挿入可能なＬ字形状を有している。
【手続補正３】
【補正対象書類名】明細書
【補正対象項目名】０００８
【補正方法】変更
【補正の内容】
【０００８】
本発明に係る上衣は、前立て及び台襟の内部に、上記の補強材が挿入されている。
また、本発明に係る上衣は、前立て及び台襟の内部に、前記前立て及び前記台襟を補強するための補強材が挿入されている上衣であって、
前記補強材が、
前記前立ての内部に挿入可能な脚部と、
前記脚部の上方に接続された、前記台襟の内部に挿入可能な頭部と、
を有し、
前記頭部の付け根の位置の幅が、前記脚部の幅より小さく、
前記補強材の頭部が、前記台襟に縫い付けられている。
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
上衣の前立て及び台襟を補強するための補強材であって、
前記前立ての内部に挿入可能な脚部と、
前記脚部の上方に接続された、前記台襟の内部に挿入可能な頭部と、
を有し、
前記脚部の先端はＵ字形状又はＶ字形状をなしており、前記脚部の先端を除いた前記脚部は同一の幅を有しており、
前記頭部の付け根の位置の幅が、前記脚部の幅より小さく、
前記頭部が、前記台襟の内縁に沿って折れ曲がって挿入可能なＬ字形状を有している補強材。
【請求項２】
前立て及び台襟の内部に、請求項１に記載の補強材が挿入されている上衣。
【請求項３】
前記補強材の頭部が、前記台襟に縫い付けられている
請求項２に記載の上衣。
【請求項４】
前記前立てには、内部に挿入された脚部の先端を支えるストッパーが形成されている
請求項２又は３に記載の上衣。
【請求項５】
前立て及び台襟の内部に、前記前立て及び前記台襟を補強するための補強材が挿入されている上衣であって、
前記補強材が、
前記前立ての内部に挿入可能な脚部と、
前記脚部の上方に接続された、前記台襟の内部に挿入可能な頭部と、
を有し、
前記脚部の先端はＵ字形状又はＶ字形状をなしており、前記脚部の先端を除いた前記脚部は同一の幅を有しており、
前記頭部の付け根の位置の幅が、前記脚部の幅より小さく、
前記補強材の頭部が、前記台襟に縫い付けられている上衣。
【請求項６】
前記前立てには、内部に挿入された脚部の先端を支えるストッパーが形成されている
請求項５に記載の上衣。
【手続補正２】
【補正対象書類名】明細書
【補正対象項目名】０００７
【補正方法】変更
【補正の内容】
【０００７】
本発明に係る補強材は、上衣の前立て及び台襟を補強するための補強材であって、
前記前立ての内部に挿入可能な脚部と、
前記脚部の上方に接続された、前記台襟の内部に挿入可能な頭部と、
を有し、
前記脚部の先端はＵ字形状又はＶ字形状をなしており、前記脚部の先端を除いた前記脚部は同一の幅を有しており、
前記頭部の付け根の位置の幅が、前記脚部の幅より小さく、
前記頭部が、前記台襟の内縁に沿って折れ曲がって挿入可能なＬ字形状を有している。
【手続補正３】
【補正対象書類名】明細書
【補正対象項目名】０００８
【補正方法】変更
【補正の内容】
【０００８】
本発明に係る上衣は、前立て及び台襟の内部に、上記の補強材が挿入されている。
また、本発明に係る上衣は、前立て及び台襟の内部に、前記前立て及び前記台襟を補強するための補強材が挿入されている上衣であって、
前記補強材が、
前記前立ての内部に挿入可能な脚部と、
前記脚部の上方に接続された、前記台襟の内部に挿入可能な頭部と、
を有し、
前記脚部の先端はＵ字形状又はＶ字形状をなしており、前記脚部の先端を除いた前記脚部は同一の幅を有しており、
前記頭部の付け根の位置の幅が、前記脚部の幅より小さく、
前記補強材の頭部が、前記台襟に縫い付けられている。